(57)【要約】【課題】  布線されるワイヤーハーネスの基準となる高さや中心値のズレを有効に防止すると共に、コンパクトで作業性の向上が図れるワイヤーハーネス用布線治具を提供する。【解決手段】  底面支持ハウジング体４と、底面支持ハウジング体４より上方突出状に配置される１対の側面支持ピン５を備える。底面支持ハウジング体４内に配置されたスライドガイド杆９，１０にその軸心方向に沿ってスライド自在に１対のピン支持ブロック１２，１３が装着されると共に、ピン支持ブロック１２，１３間に位置固定状態でセンターブロック１１が装着される。両ピン支持ブロック１２，１３に、各側面支持ピン５がピン挿通孔７ｄを挿通状として備えられる。両ピン支持ブロック１２，１３は、枢支ピン１４に位置決め状態で支持され点対称とされたリンク機構１９により、互いに接近離隔自在に連結され、接近する方向に付勢するコイルバネ２１を備える。【選択図】    図２
2008010156.tif 000002
【特許請求の範囲】
【請求項１】
ワイヤーハーネスの組立図板上に立設され、布線経路に沿って配置されるワイヤーハーネスの電線束を支承するためのワイヤーハーネス用布線治具において、
前記布線経路に沿って配置される前記ワイヤーハーネスの底面部を上面で支承する底面支持ハウジング体と、該底面支持ハウジング体より上方突出状に配置されると共にワイヤーハーネスの両側にそれぞれ位置される側面支持ピンとを備え、
前記底面支持ハウジング体内に、前記上面に平行な軸心を有するスライドガイド杆が配置されると共に、前記上面にスライドガイド杆の軸心方向に沿った長孔形状のピン挿通孔が備えられ、スライドガイド杆にその軸心方向に沿ってスライド自在に１対のピン支持ブロックが装着されると共に、両ピン支持ブロック間にスライドガイド杆に対して位置固定状態でセンターブロックが装着され、
前記両ピン支持ブロックに、前記各側面支持ピンが前記ピン挿通孔を挿通状としてそれぞれ備えられ、
前記両ピン支持ブロックは、中心枢支部が前記センターブロックに位置決め状態で支持されると共にその中心枢支部を中心に点対称とされたリンク機構により、互いに接近離隔自在に連結され、かつ両ピン支持ブロックを互いに接近する方向に付勢する付勢バネが備えられていることを特徴とするワイヤーハーネス用布線治具。
【請求項２】
請求項１に記載のワイヤーハーネス用布線治具において、
前記各側面支持ピンが、前記両ピン支持ブロックに対してそれぞれ前記ピン挿通孔を介して着脱自在に装着されていることを特徴とするワイヤーハーネス用布線治具。
【請求項３】
請求項１または請求項２に記載のワイヤーハーネス用布線治具において、
前記リンク機構が、前記両ピン支持ブロックと前記センターブロックの両側にそれぞれ備えられていることを特徴とするワイヤーハーネス用布線治具。
【発明の詳細な説明】
【技術分野】
【０００１】
本発明は、ワイヤーハーネスの組立図板上に立設し、ワイヤーハーネスの組み立てに寄与するワイヤーハーネス用布線治具に関するものである。
【背景技術】
【０００２】
従来、組立図板上に立設されるワイヤーハーネス用布線治具として、上部に略Ｕ字状のハーネス受け部を有するいわゆるＵ字状治具がある。その際、ワイヤーハーネスの電線束のサイズに合わせて、ハーネス受け部の隙間幅を適切な幅に設定することにより、曲げが発生する分岐部でも中心値が大きくズレることなく、寸法精度の良い製品を製作することができる。
【０００３】
しかしながら、この組立図板は、多種の品番が共用化されているため、標準治具である一般のもので選定すると隙間幅が最大寸法でのＵ字状治具の設定となる。そのため、品番によってはワイヤーハーネスにおける電線束の電線本数が極端に少なくなり、ハーネス受け部の中で電線が大きくズレ、分岐部を作成した際に中心値が移動することにより、寸法精度が著しく悪くなるおそれがあった。
【０００４】
そこで、ワイヤーハーネスの電線束を両側より支承する対の電線支持部材を、電線束を挟むためにその隙間幅が狭くなる方向に付勢バネで付勢する構造とすることにより、電線束の中心値のズレを有効に防止する構造のワイヤーハーネス用布線治具が提案されている（例えば、特許文献１ないし特許文献３参照。）。
【０００５】
【特許文献１】特開平１０−１７８７２１号公報
【特許文献２】特開２００１−６４５９号公報
【特許文献３】特開２００５−３１０３９７号公報
【発明の開示】
【発明が解決しようとする課題】
【０００６】
しかしながら、前記特許文献１に開示のような布線治具の構造によれば、対の電線支持部材における隙間幅の広狭により、ワイヤーハーネスの底面部を支承する基準となる高さが変わるため、この点から寸法精度が悪くなるおそれがあった。
【０００７】
また、前記特許文献２に開示のような布線治具の構造によれば、対の電線支持部材がそれぞれ付勢バネによる付勢力下、独立して互いに接近離隔自在とされているため、基準となる中心値にズレが生じるおそれがあるため、この点から寸法精度が悪くなるおそれがあった。
【０００８】
さらに、前記特許文献３に開示のような布線治具の構造によれば、特許文献１や特許文献２の上記のような欠点は解消できるものの、対の電線支持部材が枢支部を中心とした回動により互いに接近離隔自在な構造とされているため、対称に連動させるためのリンク機構が大型化し、組立図板上での取り扱いが不便で、作業性が悪くなるという欠点があった。
【０００９】
そこで、本発明の解決しようとする課題は、布線されるワイヤーハーネスの基準となる高さや中心値のズレを有効に防止すると共に、コンパクトで作業性の向上が図れるワイヤーハーネス用布線治具を提供することにある。
【課題を解決するための手段】
【００１０】
前記課題を解決するための技術的手段は、ワイヤーハーネスの組立図板上に立設され、布線経路に沿って配置されるワイヤーハーネスの電線束を支承するためのワイヤーハーネス用布線治具において、前記布線経路に沿って配置される前記ワイヤーハーネスの底面部を上面で支承する底面支持ハウジング体と、該底面支持ハウジング体より上方突出状に配置されると共にワイヤーハーネスの両側にそれぞれ位置される側面支持ピンとを備え、前記底面支持ハウジング体内に、前記上面に平行な軸心を有するスライドガイド杆が配置されると共に、前記上面にスライドガイド杆の軸心方向に沿った長孔形状のピン挿通孔が備えられ、スライドガイド杆にその軸心方向に沿ってスライド自在に１対のピン支持ブロックが装着されると共に、両ピン支持ブロック間にスライドガイド杆に対して位置固定状態でセンターブロックが装着され、前記両ピン支持ブロックに、前記各側面支持ピンが前記ピン挿通孔を挿通状としてそれぞれ備えられ、前記両ピン支持ブロックは、中心枢支部が前記センターブロックに位置決め状態で支持されると共にその中心枢支部を中心に点対称とされたリンク機構により、互いに接近離隔自在に連結され、かつ両ピン支持ブロックを互いに接近する方向に付勢する付勢バネが備えられている点にある。
【００１１】
また、前記各側面支持ピンが、前記両ピン支持ブロックに対してそれぞれ前記ピン挿通孔を介して着脱自在に装着されている構造としてもよい。
【００１２】
さらに、前記リンク機構が、前記両ピン支持ブロックと前記センターブロックの両側にそれぞれ備えられている構造としてもよい。
【発明の効果】
【００１３】
本発明のワイヤーハーネス用布線治具によれば、布線経路に沿って配置されるワイヤーハーネスの底面部を上面で支承する底面支持ハウジング体と、該底面支持ハウジング体より上方突出状に配置されると共にワイヤーハーネスの両側にそれぞれ位置される側面支持ピンとを備え、底面支持ハウジング体内に、前記上面に平行な軸心を有するスライドガイド杆が配置されると共に、前記上面にスライドガイド杆の軸心方向に沿った長孔形状のピン挿通孔が備えられ、スライドガイド杆にその軸心方向に沿ってスライド自在に１対のピン支持ブロックが装着されると共に、両ピン支持ブロック間にスライドガイド杆に対して位置固定状態でセンターブロックが装着され、両ピン支持ブロックに、各側面支持ピンがピン挿通孔を挿通状としてそれぞれ備えられ、両ピン支持ブロックは、中心枢支部がセンターブロックに位置決め状態で支持されると共にその中心枢支部を中心に点対称とされたリンク機構により、互いに接近離隔自在に連結され、かつ両ピン支持ブロックを互いに接近する方向に付勢する付勢バネが備えられた構造とされており、両ピン支持ブロックは付勢バネによる付勢力下、センターブロックに支持された中心枢支部を中心として両側に均等にスライドガイド杆に沿ってスライドし、接近離隔されるため、各ピン支持ブロックに備えられたワイヤーハーネスの両側に位置する各側面支持ピンも両側に均等に接近離隔し、また、布線されるワイヤーハーネスの底面部が底面支持ハウジング体の上面で支承され、ここに、布線されるワイヤーハーネスの基準となる高さや中心値のズレを有効に防止することができ、ワイヤーハーネスの寸法精度の向上が図れる。
【００１４】
さらに、底面支持ハウジング体内に配置されたスライドガイド杆に沿ってスライド自在な１対のピン支持ブロックを、中心枢支部で点対称とされたリンク機構により連結すると共に中心枢支部を両ピン支持ブロック間に配置されたセンターブロックに位置決め状態で支持する構造としているため、従来構造に比較してコンパクトな構造で両側面支持ピン間の隙間幅を両側に均等に接近離隔させることができ、布線治具自体のコンパクト化が図れ、組立図板上での取り扱いが便利になり、作業性が向上する。
【００１５】
また、各側面支持ピンが、両ピン支持ブロックに対してそれぞれピン挿通孔を介して着脱自在に装着されている構造とすれば、各側面支持ピンを太さや長さ等の形状の異なる側面支持ピンに交換することにより、容易に初期の隙間幅の変更や電線本数の多少に対処でき、汎用性に優れる利点もある。
【００１６】
さらに、リンク機構が、両ピン支持ブロックとセンターブロックの両側にそれぞれ備えられている構造とすれば、両ピン支持ブロックの接近時や離隔時におけるリンク機構による移動量の規制が両側で均等になされるため、両ピン支持ブロックのスライドガイド杆に沿ったスライドがより円滑になされる利点がある。
【発明を実施するための最良の形態】
【００１７】
以下、本発明の実施形態を図面に基づいて説明すると、図１ないし図４に示されるように、ワイヤーハーネス用布線治具１は、図示省略の組立図板上に立設状に取り付けるための支軸部２と、該支軸部２の上部に備えられて布線経路に沿って配置されるワイヤーハーネス３の底面部を支承する底面支持ハウジング体４と、該底面支持ハウジング体４より上方突出状に配置されてワイヤーハーネス３の両側にそれぞれ位置される側面支持ピン５とを備える。
【００１８】
前記底面支持ハウジング体４は、図１および図２に示されるように、底壁部６ａと該底壁部６ａの両側端より上方にそれぞれ立設された側壁部６ｂとからなる正面視いわゆるＵ字状に構成されたハウジング本体６と、図３や図４に示されるように、ハウジング本体６の上面側や前面側および背面側を覆って装着される側面視いわゆる逆Ｕ字状に構成されたカバー部７とを備えている。
【００１９】
そして、ハウジング本体６の底壁部６ａ下面側の略中央部には、雄ネジ部８が下向き突出状に備えられており、該雄ネジ部８に支軸部２の上端に形成された雌ネジ部が着脱自在に螺合締結された構造とされている。
【００２０】
また、ハウジング本体６の両側壁部６ｂ間にわたって、底面支持ハウジング体４の上面を構成するカバー部７の上面７ａに平行な軸心を有する１対のスライドガイド杆９，１０が上下方向に適宜間隔を有して配設されている。例えば、これらスライドガイド杆９，１０は止め輪等により両側壁部６ｂ間にわたって着脱自在に装着された構造とされている。
【００２１】
そして、両スライドガイド杆９，１０の長さ方向中央部には、直方体形状のセンターブロック１１がまたがった状態で装着されており、このセンターブロック１１の左右両側部に位置するスライドガイド杆９，１０には、センターブロック１１と同様、略直方体形状のピン支持ブロック１２，１３がそれぞれまたがった状態で、かつ両スライドガイド杆９，１０の軸心方向に沿ってスライド自在に装着されている。
【００２２】
また、センターブロック１１における上下のスライドガイド杆９，１０の間に対応した部分には、前後方向貫通状に枢支ピン１４が備えられており、カバー部７の前面７ｂおよび背面７ｃがそれぞれ固定ネジ１５を介して枢支ピン１４に着脱自在に固定されている。さらに、カバー部７の前面７ｂおよび背面７ｃはハウジング本体６にも固定ネジ１５を介して着脱自在に固定されている。ここに、センターブロック１１は両スライドガイド杆９，１０における長さ方向中央部で位置固定状態とされている。
【００２３】
前記枢支ピン１４におけるセンターブロック１１の前後よりそれぞれより突出した部分には、細長板状の長尺リンク１７の長手方向中央部がそれぞれ枢支され、各長尺リンク１７の長手方向両端部と各ピン支持ブロック１２，１３とが、それぞれ細長板状の短尺リンク１８を介して互いに枢支連結されている。
【００２４】
そして、これら長尺リンク１７と１対の短尺リンク１８とにより、同一構造の前後１対のリンク機構１９が構成されている。この際、各リンク機構１９は枢支ピン１４で枢支される中心枢支部を中心としていわゆる点対称とされており、各リンク機構１９を介して、左右両側の各ピン支持ブロック１２，１３が互いに接近離隔自在に構成されている。また、各長尺リンク１７と各短尺リンク１８との枢支連結部の連結ピンや各短尺リンク１８と各ピン支持ブロック１２，１３との枢支連結部の連結ピンも止め輪等により着脱自在に装着された構造とされている。
【００２５】
さらに、本実施形態においては、上側のスライドガイド杆９におけるピン支持ブロック１２，１３と側壁部６ｂとの相互間には、付勢バネとしてのコイルバネ２１が圧縮状態で套嵌されており、各ピン支持ブロック１２，１３をセンターブロック１１方向、即ち両ピン支持ブロック１２，１３を互いに接近する方向に常時付勢する構造とされている。
【００２６】
また、カバー部７における上面７ａには、図４にも示されるように、スライドガイド杆９，１０の軸心方向に沿った長孔形状のピン挿通孔７ｄが形成されており、１対の側面支持ピン５はピン挿通孔７ｄを介して各ピン支持ブロック１２，１３に着脱自在に装着された構造とされている。即ち、図５に示されるように、側面支持ピン５の下端部には雄ネジ部５ａが備えられており、この雄ネジ部５ａをピン支持ブロック１２，１３の上部に形成された雌ネジ孔に着脱自在に螺合締結している。
【００２７】
従って、各ピン支持ブロック１２，１３が各スライドガイド杆９，１０に沿って各リンク機構１９による案内下、スライド移動する際、その接近離隔移動に伴って、各側面支持ピン５もピン挿通孔７ｄの長手方向に沿って接近離隔移動する構造とされている。即ち、各側面支持ピン５の接近離隔移動に伴って、各ピン支持ブロック１２，１３も各コイルバネ２１の付勢力下、接近離隔移動する構造とされている。
【００２８】
なお、支軸部２、側面支持ピン５、ハウジング本体６、カバー部７、スライドガイド杆９，１０、センターブロック１１、ピン支持ブロック１２，１３、リンク機構１９等は、アルミ合金やステンレス等の金属材等により適宜構成されている。
【００２９】
本実施形態は以上のように構成されており、布線治具１の使用に際しては、従来同様、組立図板上の所定位置にそれぞれ立設状に取り付け、布線経路に沿って配置されるワイヤーハーネス３の電線束は、両側面支持ピン５間に位置させ、上面７ａ上に支承させればよい。
【００３０】
そして、本実施形態によれば、位置固定状態のセンターブロック１１における枢支ピン１４に、同一構造とされた各リンク機構１９の中心枢支部が支持され、この中心枢支部を中心に各リンク機構１９が点対称に構成されているため、両ピン支持ブロック１２，１３は各コイルバネ２１による付勢力下、センターブロック１１に支持された枢支ピン１４位置を中心として両側に均等に各スライドガイド杆９，１０に沿ってスライド自在であり、このスライドによる接近離隔移動に伴う各側面支持ピン５の移動も、両側に均等に接近離隔移動する構造であり、布線されるワイヤーハーネス３の電線束における電線本数の多い少ないにかかわらず、ワイヤーハーネス３の基準となる中心値のズレが有効に防止できる。
【００３１】
また、布線されるワイヤーハーネス３の底面部は底面支持ハウジング体４の上面７ａで支承されるため、ワイヤーハーネス３の基準となる高さがズレることもない。
【００３２】
ここに、布線されるワイヤーハーネス３の基準となる高さや中心値のズレを有効に防止することができ、ワイヤーハーネス３の寸法精度の向上が図れる利点がある。
【００３３】
さらに、底面支持ハウジング体４内に配置された各スライドガイド杆９，１０に沿ってスライド自在な１対のピン支持ブロック１２，１３を、中心枢支部となる枢支ピン１４位置で点対称とされたリンク機構１９により連結すると共にその中心枢支部をセンターブロック１１に位置決め状態で支持する構造としているため、従来構造に比較してコンパクトな構造で両側面支持ピン５間の隙間幅を両側に均等に接近離隔させることができ、布線治具１自体のコンパクト化が図れ、組立図板上での取り扱いが便利になり、作業性が向上する利点もある。
【００３４】
また、両ピン支持ブロック１２，１３とセンターブロック１１の両側に、それぞれ同一構成のリンク機構１９が備えられているため、両ピン支持ブロック１２，１３の接近時や離隔時におけるリンク機構１９よる移動量の規制が両側で均等になされるため、両ピン支持ブロック１２，１３のスライドガイド杆９，１０に沿ったスライドがより円滑になされる利点がある。
【００３５】
さらに、各側面支持ピン５が、両ピン支持ブロック１２，１３に対してそれぞれピン挿通孔７ｄを介して着脱自在に装着された構造であり、各側面支持ピン５を太さや長さ等の形状の異なる側面支持ピン５に交換することにより、両側面支持ピン５間の初期の隙間幅の変更や電線束における電線本数の多少に容易に対処でき、汎用性に優れる利点もある。
【００３６】
また、コイルバネ２１のバネ力を適切に設定することにより、両側面支持ピン５でワイヤーハーネス３の電線束を両側から抑える力の調整や、両側面支持ピン５の広がり方向の強さが調整でき、布線時の電線だぶりが有効に防止できる利点がある。
【００３７】
さらに、底面支持ハウジング体４の雄ネジ部８に連結される支軸部２の長さも各種準備しておけば、底面支持ハウジング体４自体の高さ調整も容易に行え、汎用性に優れる。
【００３８】
なお、上記実施形態において、上側のスライドガイド杆９にコイルバネ２１を装着した構造を示しているが、下側のスライドガイド杆１０にコイルバネ２１を装着する構造であってもよく、さらには双方のスライドガイド杆９，１０にそれぞれコイルバネ２１を装着する構造としてもよく、何ら限定されない。
【００３９】
また、１対のスライドガイド杆９，１０を使用した構造を示しているが、各ピン支持ブロック１２，１３の軸回りの回動が規制できれば、単一のスライドガイド杆による構造であってもよく、よりコンパクト化が図れる。
【００４０】
さらに、リンク機構１９の形状や構造においても、実施形態の構造に何ら限定されず、その他のリンク機構の構造であってもよい。
【００４１】
また、ハウジング本体６やカバー部７の形状や相互間の固定構造等も何ら実施形態に限定されない。
【図面の簡単な説明】
【００４２】
【図１】本発明の実施形態にかかる要部断面正面図である。
【図２】同動作説明図である。
【図３】同要部断面側面図である。
【図４】同平面説明図である。
【図５】側面支持ピンの正面図である。
【符号の説明】
【００４３】
１  布線治具
２  支軸部
３  ワイヤーハーネス
４  底面支持ハウジング体
５  側面支持ピン
６  ハウジング本体
７  カバー部
７ａ  上面
７ｄ  ピン挿通孔
９，１０  スライドガイド杆
１１  センターブロック
１２，１３  ピン支持ブロック
１４  枢支ピン
１９  リンク機構
２１  コイルバネ
【図１】
2008010156.tif 000003
【図２】
2008010156.tif 000004
【図３】
2008010156.tif 000005
【図４】
2008010156.tif 000006
【図５】
2008010156.tif 000007